(57)【要約】【課題】  外観範囲に現れず、しかも操作性に優れた移動支持構造を提供する。【解決手段】  固定脚部２内に前後方向ａ１の変位可能に装設されたくさび体８と、くさび体８の下側の固定脚部２内に上下方向の変位可能に装設されると共にキャスタ１１が装着された被動体９と、本体部１に支持されくさび体８をてこ原理で前後方向ａ１へ変位させるための操作レバー１２とを備え、くさび体８が前後方向ａ１へ変位されたとき被動体９及びキャスタ１１がくさび体８の傾斜面部ｃ１、ｃ２による送り作用により固定脚部２に対し上下変位される。【選択図】      図５
2010099177.tif 000002
【特許請求の範囲】
【請求項１】
本体部が固定脚部で支持された状態と、本体部がキャスタで支持された状態との何れかに変更することができる移動支持構造において、
左右の動きを規制された状態で水平方向の変位直進可能に装設されたカムと、
左右の動きと水平方向の動きを規制され、上下方向の変位可能に装設されると共に下面に前記キャスタが装着された従節と、
前記本体部に設けられた縦支軸を支点として支持され、作用点に前記カムを水平方向へ変位可能なように結合した操作レバーとを備え、
前記カムと従節とは、前記カムが水平方向へ変位されたとき前記従節が上下変位させる直進カム機構を構成していることを特徴とする移動支持構造。
【請求項２】
前記固定脚部が前記本体部の下面の左右端寄り位置のそれぞれに前後方向に沿って形成されており、これら固定脚部のそれぞれの内側に前記カム及び前記従節が配設され、前記カムと前記従節はそれぞれの前後箇所に前後方向の傾斜面部同士が上下で対向して当接するように形成されていることを特徴とする請求項１記載の移動支持構造。
【請求項３】
前記操作レバーが、前記本体部の下側に位置され本体部の下面に沿って揺動変位されることを特徴とする請求項１又は２に記載の移動支持構造。
【請求項４】
前記従節の下面の前後箇所に前記キャスタが装着されていることを特徴とする請求項１、２又は３記載の移動支持構造。
【発明の詳細な説明】
【技術分野】
【０００１】
本発明は、移動支持構造に関する。
【背景技術】
【０００２】
テレビ台、サイドボード、タンスは室内の床面上などに定置されて使用されるものであるが、その背後或いは下面の掃除を行うときには、床面上を移動させている。床面上などに定置されて使用されるこのほかのものとしては、洗濯機や冷蔵庫等の所謂白物家電等もある。
【０００３】
この移動を容易に行えるようにするため、走行移動可能に支持するキャスタが装着されているものがある。例えば、特許文献１、２においては、テレビ台の例が示されており、テレビ台の定置時には、各キャスタの車輪が床当接面より上へ引き込まれており、一方、テレビ台の移動時には、各キャスタを引き出す技術が開示されている。
【０００４】
また、特許文献３には、収納家具等の重量物に対する例が示されており、上昇操作アームを引き出して梃子の原理でもってキャスタを引き出す技術が開示されている。
【特許文献１】特開平１１−３３４３０７号公報
【特許文献２】特開２００２−３４５５８３号公報
【特許文献３】特許第３１９８２７５号公報
【発明の開示】
【発明が解決しようとする課題】
【０００５】
特許文献１によれば、テレビジョン受像機の載ったテレビ台の片側を手で持ち上げて傾斜させてから、キャスタを引き出す操作が必要となり、家庭の主婦が一人で行うには困難を伴う。またテレビ台を傾斜させた時にテレビジョン受像機が滑り落ちる虞がある。
【０００６】
特許文献２によれば、回転板に設けられた上下傾斜面及びこれに案内されるローラにより下向き力を発生させてキャスタの車輪を引き出すため、上下傾斜面の半径位置と回転板の外周半径との差を大きくしないと回転操作に大きな力が必要となる。また、近年の薄型テレビにおいては、奥行き方向は幅方向に比べて短くなっており、大きな回転板を持つことは困難である。
【０００７】
また、特許文献３によれば、梃子の原理でもってキャスタを引き出す際に、設置面に対する水平を保つためにパンタグラフ式連結機構を有しているが、重量物を支えるための剛性確保のために装置自体が大掛かりなものとなる。
【０００８】
本発明は、キャスタで支持された状態での走行移動が可能になるものであって、該キャスタ及び、これの上下位置を変更するための機構の大部分が外観範囲に現れず、しかもキャスタの上下変位のための操作性に優れた移動支持構造を提供することを目的とする。
【課題を解決するための手段】
【０００９】
上記目的を達成するため、本発明に係る移動支持構造は、本体部が固定脚部で設置面に支持された状態と、本体部がキャスタで支持された状態との何れかに変更することができる移動支持構造において、左右の動きを規制された状態で水平方向の変位直進可能に装設されたカムと、左右の動きと水平方向の動きを規制され、上下方向の変位可能に装設されると共に下面に前記キャスタが装着された従節と、前記本体部に設けられた縦支軸を支点として支持され、作用点に前記カムを水平方向へ変位可能なように結合した操作レバーとを備え、前記カムと従節とは、前記カムが水平方向へ変位されたとき前記従節が上下変位させる直進カム機構を構成していることを特徴とする。
【発明の効果】
【００１０】
本発明によれば、キャスタを引き出す機構を設置面との間隔を狭くした状態でかつ外観範囲から隠れた構造にすることができ、またカムを動かす操作レバーが水平方向に揺動するため操作性が向上すると言う効果がある。
【発明を実施するための最良の形態】
【００１１】
以下、本発明の移動支持構造をテレビ台に適用した場合の実施例の詳細を、図面を参照して詳細に説明する。
【００１２】
図１はテレビ台を斜め上方から見た斜視図である。１はテレビ台の本体部であり、本体部１の下面の図面左右端寄りの２箇所に固定脚部２、２が方向ａ１（奥行き方向）に沿って固設されている。
【００１３】
本体部１は、下板３の上面から４枚の縦板４ａ、４ｂ、４ｃ、４ｄを起立させ、これら縦板４ａ、４ｂ、４ｃ、４ｄの上端を上板５で結合され、２枚の縦板４ｂ、４ｃ間の中間高さ位置に中間板６が架け渡されている。各固定脚部２、２の外形は直方体であり、その内側に複数のキャスタ７、７が内装されている。
【００１４】
図２は倒立された一つの固定脚部２及びその内側に嵌挿される部品を示す斜視図である。各固定脚部２は左右の側面板２ａ、２ｂと前後の端面板２ｃ、２ｄからなる四角筒部２Ａを備えるほか、四角筒部２Ａの下縁の全体を覆うように固定された底面板２ｅを備えている。前側の端面板２ｃには上縁ｂ１から切り込まれた切欠部ｂ２が形成されており、また底面板２ｅの巾中央箇所のほぼ全長範囲にキャスタ６、６が上下方向へ出入り移動するための細長状の透孔ｂ３が形成されている。底面板２ｅの下面領域のうち透孔ｂ３を除いた領域の面積は、テレビ台の使用状態において固定脚部２の床面に対する面圧が床面やこれに敷かれたカーペットなどを損傷させない広さとされる。図中、方向ａ１、ａ２は、図ａに対応させている。
【００１５】
図３は固定脚部２周辺の縦断面である。各固定脚部２の内方にはくさび体８と被動体９
とが上下配置に嵌着されている。くさび体８は、図２にも示すように、前後方向ａ１へ長く形成された本体部材８ａを備え、この本体部材８ａの前後箇所の下端に前後方向ａ１に傾斜した傾斜面部ｃ１、ｃ２が形成されると共に、各傾斜面部ｃ１、ｃ２の表面に摩擦係数が少なくとも本体部材８ａの材料のそれよりも小さい合成樹脂板を被着するなどして滑り層１０が形成されている。
【００１６】
一方、被動体９は、前後方向ａ１へ長く形成された本体部材９ａを備え、この本体部材９ａの前後箇所の上端に前記傾斜面部ｃ１、ｃ２に対応して、前後方向ａ１に傾斜した傾斜面部ｃ３、ｃ４が形成されると共に、下面の前後箇所にキャスタ１１、１１を装着されている。くさび体８の傾斜面部ｃ１、ｃ２と被動体９の傾斜面部ｃ３、ｃ４は各固定脚部２内において上下方向で対向した状態で当接される構成とされている。図示例では傾斜面部ｃ３、ｃ４の下端面に窪み箇所ｄ１、ｄ２が形成され、この窪み箇所ｄ１、ｄ２にキャスタ１１として、一方向にのみ回転する車輪１１ａが装着されている。車輪１１ａは外周部が合成樹脂材やゴムなどで形成されたものとするのがこれと圧接する他物の損傷を防止する上で好ましい。一方向にのみ回転する車輪１１ａとすることにより、テレビ台は前後方向にのみ移動するようになり、清掃作業の後で移動させた際に、テレビ台を元の位置に戻すことができるという効果がある。このキャスタ１１の代わりに、例えば、被動体の下端面の長手方向へ多数のコロを列設したものであっても、或いは案内車を介して周回移動自在に保持された無端状のベルトなどであってもよい。また縦軸回りへ転向自在とされたキャスタでもよいが、テレビ台の移動が自在となる反面、元の位置に戻りにくくなる。
【００１７】
そして、くさび体８は固定脚部２の内で左右方向ａ２の移動を左右の側面板２ａ、２ｂにより規制されながら前後方向ａ１へ移動し得るように装着されている。また被動体９は固定脚部２内で前後方向ａ１の移動を前後の端面板２ｃ、２ｄにより、左右方向ａ２の移動を左右の側面板２ａ、２ｂにより夫々規制されており、状態で上下方向へ移動し得るように装着されている。被動体９の下方移動は被動体９の下端面が固定脚部２の底面板２ｅの上面に当接することで規制されるようになっている。また被動体９が上方移動したとき、キャスタ１１が下方移動したとき、キャスタ１１の車輪１１ａの最下点が透孔ｂ３を通じて固定脚部２の底面板２ｅの下面（床当接面）よりも下方へ数ｍｍ〜数十ｍｍ程度突き出るようになっている。一方のキャスタ１１が上方移動したときには、透孔ｂ３に引き込まれ、固定脚部２の底面板２ｅの下面が床面に当接する。
【００１８】
図４はテレビ台の下面側を示す斜視図、図５は図４の一部を示す斜視図である。下板３の下面側で固定脚部２の前側となる左右方向箇所には、くさび体８をてこ原理で前後方向ａ１へ変位させるための一対の操作レバー１２、１２が左右の固定脚部２、２の各くさび体８に対応させて左右対称状に装着されている。各操作レバー１２は下板３の左右方向ａ２長さの半分に及ぶ前側棒部材１３と、これの後側に固着された比較的短い帯板部材１４とからなっている。各帯板部材１４はその対応する固定脚部２の左右両側に及ぶように配置されおり、下板３に止着された縦支軸１５を支点として下板３の下面に摺接可能に装着され下板３の下面に沿って揺動操作されるものとなっている。このさい、縦支軸１５は図示のように固定脚部２よりも左右方向ａ２外側に配置される構成とするのが、てこ原理の倍力作用を高める上で有利であるが、これに限定するものではなく、固定脚部２よりも左右方向ａ２内側に位置させることも差し支えない。また、前側棒部材１３は意匠の観点から配置されるものである。
【００１９】
各操作レバー１２とその対応する側のくさび体８とは、図３に示すようにくさび体８の前部上端面に固定した金属結合板１６を介して結合されている。この位置が作用点となる。操作レバー１２は円弧状に揺動されるのに対し、くさび体８は前後方向ａ１へ変位されることから、金属結合板１６には図２に示すような左右方向ａ２へ長い長孔ｄ１を形成し、この長孔ｄ１に挿通された結合ピン１７を帯板部材１４の上面に止着しており、操作レバー１２の揺動変位とくさび体８の前後変位とが円滑に連動されるようになっている。
【００２０】
各操作レバー１２の下面と各固定脚部２の下面（床当接面）との間には、本体部１の前側から手指を差し入れ操作レバー１２に掛け止めることのできる空間ｅ１が形成されており、このように掛け止めた手指の操作力で各操作レバー１２が揺動される構成となっている。
【００２１】
図６はテレビ台の左側の操作レバー１２を前側へ揺動させた状態を示す斜視図である。下板３の下面で各操作レバー１２の長さ途中箇所には、各操作レバー１２をこれの揺動範囲の任意な一定位置に安定的に保持させるレバー位置保持手段１８が形成されている。図示例のレバー位置保持手段１８は、細長状の金属板１９と、これを出入り自在に収納する案内ケース２０と、金属板１９の出入り動作に抑止力を付与する弾圧手段２１とからなっている。
【００２２】
金属板１９は長さ方向の一定間隔位置に凹み部ｆ１を列設されると共に前端箇所に結合用透孔を形成されている。このさい、操作レバー１２は円弧状に揺動されるのに対し、金属板１９は前後方向ａ１へ変位されることから、金属板１９の前記結合用透孔はやや左右方向ａ２へ長く形成され、この長孔に挿通された結合ピンが帯板部材１４の上面に図示しない金属片を介して止着されており、操作レバー１２の揺動変位と金属板１９の前後変位とが円滑に連動されるようになっている。弾圧手段２１は案内ケース２０に組み込まれており、例えば、凹み部ｆ１に嵌合状に係合される金属球とこの金属球を凹み部ｆ１に弾圧するバネ部材とを具備したものとなされる。
【００２３】
次に上記したテレビ台の使用例及び作用について説明する。  
テレビ台をキャスタ１１で支持されてない通常使用状態で使用するときは、図１に示すように操作レバー１２、１２を左右方向ａ２に沿わせると共に正立状態で床面上に設置し、上板３上にテレビジョン受像機を載置する。
【００２４】
この状態では、各固定脚部２における底面板２ｅ（図２）の下面の全体は床面に当接した状態となり、キャスタ１１の最下点はテレビ台やテレビジョン受像機の自重により図３に実線ｈ１で示すように床面ｇ１に押され、固定脚部２内に引き込まれる。なお、くさび体８や被動体９を上方へ付勢する部材を設けておけば、この状態において、キャスタ１１を底面板２ｅ（図２）の床当接面よりも上方へ変位した状態とすることができる。
【００２５】
このように各固定脚部２の底面板２ｅが床面ｇ１に当接して支持されているとき、テレビ台は底面板２ｅの面にて支持されることになり、床面ｇ１を傷つけたり、またキャスタ１１で支えられるよりも床面ｇ１に敷かれたカーペットを歪ませにくいものとなる。
【００２６】
テレビ台をキャスタ１１で支持された状態とするときは、テレビ台の前側から、操作レバー１２と固定脚部２の下面との間に形成された空間ｅ１、即ち操作レバー１２と床面ｇ１との間の空間ｅ１を通じて下板３の下側に手指を差し入れて各操作レバー１２の先側の入力箇所１２ａに掛け止め、手前に引いて各操作レバー１２を図６に示すように縦支軸１５回りへ揺動させる。
【００２７】
操作レバー１２が揺動されると、その揺動力がてこ原理で増加されて前向きの引き力に転換され、この引き力がくさび体８に伝達される。これにより、くさび体８が操作レバー１２に連動して固定脚部２内を前方へ下板３の下面に案内されつつ摺動され、図３に仮想線ｊ１で示すように変位され、その傾斜面部ｃ１、ｃ２の位置が移動する。くさび体８の傾斜面部ｃ１、ｃ２が移動すると、その傾斜面部ｃ１、ｃ２は被動体９の傾斜面部ｃ３、ｃ４に圧接し、さらにくさび体８の傾斜面部ｃ１、ｃ２が前側へ移動されると、この傾斜面部ｃ１、ｃ２と被動体９の傾斜面部ｃ３、ｃ４とが圧接した状態で前後方向ａ１へ相対変位される。傾斜面部ｃ１、ｃ２の送り作用により傾斜面部ｃ３、ｃ４を介して被動体９を仮想線ｊ２で示すように押し下げる。これにより、床面ｇ１に当接したキャスタ１１の車輪１１ａがテレビ台の自重などに抗して固定脚部２の下面の透孔ｂ３を通じて固定脚部２の下面よりも下側へ仮想線ｈ２で示すように押し出され、テレビ台を床面ｇ２（床面ｇ１と同一のもので説明の便宜上符号を変えている。）上で支持した状態となる。この支持状態での車輪１１ａの押出し量Δｈが数ｍｍ〜十数ｍｍ程度に達したとき、操作レバー１２の揺動操作を停止して手指を操作レバー１２から離す。
【００２８】
傾斜面部ｃ１、ｃ２の傾斜角を水平に対して４５度よりも小さくしておけば（傾斜面部ｃ３、ｃ４もこれにあわせる）、傾斜面部ｃ１、ｃ２の送り作用による被動体９を下方に押し出す力を増加させることも期待できる。
【００２９】
上記のようにキャスタ１１の上下位置を変更するさいに操作レバー１２に付与される操作力は操作レバー１２のてこ原理による倍力作用と、くさび体８の傾斜面部ｃ１、ｃ２と被動体９の傾斜面部ｃ３、ｃ４との前後方向ａ１の相対変位による倍力作用とにより増加さることができる。
【００３０】
手指の離された操作レバー１２には、キャスタ１１に付与されるテレビ台の自重などと、傾斜面部ｃ１、ｃ２、ｃ３、ｃ４の相互作用とに起因してくさび体８に発生した後向きの変位力が操作レバー１２に付与され、操作レバー１２は図４に示す元位置に戻されようとする。しかし、レバー位置保持手段１８が操作レバー１２に連動して変位される金属板１９に抵抗力を付与するため、操作レバー１２は手指の離された時点の位置に保持される。なお、レバー位置保持手段１８は弾圧手段２１の金属球が金属板１９の凹み部ｆ１に係合したときに特に大きな位置保持力を発生した状態になるため、操作レバー１２はこの状態で手指を離すのがよいのであり、またこの状態にないときに手指を離した操作レバー１２が不用意に揺動することが生じても任意な凹み部ｆ１が金属球に到達したときに特に大きな位置保持力が操作レバー１２に付与されてその揺動は規制される。
【００３１】
各キャスタ１１がテレビ台を床面ｇ２上に支持した状態の下で、テレビ台に前後向きの押引き力を付与するのであり、これによりキャスタ１１の車輪１１ａがテレビ台を前後方向ａ１へ移動させるように回転し、テレビ台は比較的小さな力で前後へ移動される。したがって家庭の主婦でもテレビ台を一人の手作業により容易に水平移動させることができ、テレビ台周辺の掃除を確実且つ迅速に行うことができる。
【００３２】
次に上記実施例の構成による他の作用について説明する。
（１）固定脚部２が本体部１の下面の左右端寄り位置のそれぞれに前後方向ａ１に沿って設けられており、これら固定脚部２のそれぞれの内方にくさび体８及び被動体９が配設され、且つ、くさび体８と被動体９のそれぞれの前後箇所に形成された前後方向ａ１の傾斜面部ｃ１、ｃ２、ｃ３、ｃ４同士が上下で対向するように当接されると共に、被動体９の下面の前後箇所にキャスタ１１が装着されている構成であることにより、テレビ台の使用状態においてくさび体８、被動体９及びキャスタ１１を外方から見えないように装設でき、くさび体８、被動体９及びキャスタ１１の全体高さを小さく抑えることができる。また、傾斜面部ｃ１、ｃ２、ｃ３、ｃ４の傾斜角度を４５度よりも小さくすることにより、操作レバー１２に付与する力をさらに低下することが可能となる。
（２）操作レバー１２が、本体部１の下側に位置され本体部１の下面に沿って水平方向に揺動変位されることにより、操作レバー１２を設置するためのスペースや操作レバー１２を揺動操作するためのスペースの確保が容易となり、操作レバー１２の存在を目立たないようにすることができる。
（３）操作レバー１２が本体部１の下面の下側の前部に位置されていることは、テレビ台の前側からの操作レバー１２の操作を容易する。またテレビ台の左右側や後側に人が近づくための空間が存在しない場所に対しテレビ台を設置したり或いはこの場所から取り出すようなときでも、前側に必要な空間があれば、操作レバー１２を揺動操作してテレビ台をキャスタ１１が支持した非通常使用状態とすることができて容易に対応できる。
（４）操作レバー１２が固定脚部２の前側となる位置の左右方向ａ２箇所に設けられていることは、操作レバー１２がキャスタ１１を上下変位させる機構を前方から見え難くすると共に、操作レバー１２をテレビ台の前側から操作し易くする。操作レバー１２を手前側に観音開き式に操作できるので、操作レバー１２を高さの低い空間内で長くできて操作レバー１２のてこ原理による比較的大幅な操作力減少化を実現させることができる。
（５）操作レバー１２が本体部１の下面に近接して配設されると共に、該操作レバー１２の下面と固定脚部２の下面との間に手指を差し入れて操作レバー１２に掛け止めることを可能とする空間ｅ１が形成されており、このように掛け止めた手指の操作力で操作レバー１２が揺動される構成であることにより、テレビ台の大型化を招くことなく、キャスタ１１をテレビ台の前側から上下変位させることが可能となる。
（６）固定脚部２、くさび体８、被動体９及び操作レバー１２が何れもその大部分を木材又は合成樹脂材で形成すればテレビ台を軽量且つ安価にする上で寄与する。
（７）くさび体８の前後方向ａ１変位に伴う摩擦力発生箇所に摩擦力を低減させる樹脂面層１０が形成されているので、キャスタ１１を少ない操作力で上下変位させることを可能とする。
（８）キャスタ１１を前後一方向のみへ回転する車輪１１ａとしておけば、テレビ台を移動しても、元の場所に戻しやすいという効果がある。
【００３３】
上記実施例は次のように変形できる。
前後方向ａ１は、水平方向ａ１と一般化できる。この場合において、上記実施例において、左右方向ａ２は、水平面において水平方向ａ１と直交する左右方向となる。このように一般化した場合は、テレビ台の「前側」は、水平方向ａ１に操作者がアクセスする側を意味する。この場合、操作レバー１２は操作者がアクセスする側に配置され、水平方向ａ１側に引き出すことになる。
【００３４】
くさび体８や被動体９の動きの一部を、固定脚部２の左右の側面板２ａ、２ｂと前後の端面板２ｃ、２ｄにより規制したものとしたが、これらの動きを、固定脚部２とは別の部材を設けて規制しても良い。
【００３５】
また、くさび体８の傾斜面部ｃ１、ｃ２や被動体９の傾斜面部ｃ３、ｃ４の傾斜方向を前後逆にしてもよいのであり、この場合には縦支軸１５を固定脚部２の左右方向ａ２内側に位置させることにより操作レバー１２の揺動方向とキャスタ１１の上下変位との対応が上記実施例の場合と合致する。くさび体８の傾斜面部ｃ１、ｃ２の表面に樹脂面層１０を形成する代わりに、被動体９の傾斜面部ｃ３、ｃ４の表面に樹脂面層１０を形成することも差し支えない。くさび体８の傾斜面部ｃ１、ｃ２の下面箇所と、被動体９の傾斜面部ｃ３、ｃ４の上面箇所との何れか一方を、他方の傾斜面部に圧接して転動するローラとすることも可能である。傾斜面部ｃ１とｃ３の関係（又は傾斜面部ｃ２とｃ４）は、一般的には直進カム機構と呼ばれており、くさび体８の水平運動を被動体９の上下運動に変換するものである。カムとなるくさび体８に水平方向の直進運動が入力されて、従節となる被動体９が鉛直方向の直進運動を行う。
【００３６】
本実施例における直進カム機構は、くさび体８（カム）、被動体９（従節）のそれぞれの前後箇所におけて、前後方向の傾斜面部同士が上下で対向して当接する直進カム機構となっており、かつくさび体８、被動体９自体もテレビ台の左右に設けられているため、テレビ台を安定して水平に上下することが可能であり、特許文献３のようなパンタグラフ式連結リンクのような構造を持つ必要が無い。また、キャスタが前後方向の傾斜面部の直下に配置されることにより、テレビ台の移動の際に安定した移動が可能となる。尚、くさび体８と被動体の傾斜面部を夫々の前後方向全長に渡って傾斜する面とすることも可能であるが、安定して水平に上下したり、移動したりするためには、傾斜面の長さと角度、キャスタの取付位置の最適化の設計自由度が減少する。
【００３７】
上記実施例ではテレビ台への移動支持構造の適用例を説明したが、これに限定するものではなく、例えば、サイドボード、ラック、整理ダンス、洋服ダンスなどの家具や、冷蔵庫、洗濯機のような機器であっても差し支えない。このさい、前側とは、人が通常使用において家具又は機器にアクセスする側を言うものとする。
【図面の簡単な説明】
【００３８】
【図１】本実施例に係る移動支持構造を適用したテレビ台を斜め上方から見た斜視図である。
【図２】前記テレビ台の部品を示す斜視図である。
【図３】前記テレビ台の固定脚部周辺を示す縦断面である。
【図４】テレビ台の下面側を示す斜視図である。
【図５】テレビ台の左側の操作レバーを左右方向に沿わせた状態を示す斜視図である。
【図６】テレビ台の左側の操作レバーを前側へ揺動させた状態を示す斜視図である。
【符号の説明】
【００３９】
１  本体部
２  固定脚部
８  くさび体
９  被動体
１０  樹脂面層
１１  キャスタ
１２  操作レバー
１８  レバー位置保持手段
ａ１  前後方向
ａ２  左右方向
ｃ１  くさび体８の傾斜面部
ｃ２  くさび体８の傾斜面部
ｃ３  被動体９の傾斜面部
ｃ４  被動体９の傾斜面部
【図１】
2010099177.tif 000003
【図２】
2010099177.tif 000004
【図３】
2010099177.tif 000005
【図４】
2010099177.tif 000006
【図５】
2010099177.tif 000007
【図６】
2010099177.tif 000008